(57)【要約】【課題】原稿の光沢特性が異なるとその変角反射光分布が異なる。したがって原稿画像を読み取る際に、イメージセンサによる検出方向とユーザによる観察方向とが異なると、見た目に同じ色であっても読み取り信号が異なってしまうことがある。【解決手段】原稿２４を照明光源２１で照明した際の拡散反射光量２２が、検出方向Ｂにおいて検出される。該検出された原稿からの反射光量２２に対し、観察方向Ａにおける表面反射光成分２３を反映するように補正する。これにより、原稿２４を検出方向Ｂで読み取った際にも、観察方向Ａにおける見た目に一致する読み取り信号を得ることができる。【選択図】  図２
2011030025.tif 000002
【特許請求の範囲】
【請求項１】
原稿を照明した際の反射光量を、予め定められた検出方向において検出する反射光量の取得手段と、
前記原稿の変角反射光分布に基づく光沢特性情報を取得する光沢特性の取得手段と、
前記反射光量を前記光沢特性情報に基づいて補正する反射光量の補正手段と、
を有することを特徴とする画像読み取り装置。
【請求項２】
前記反射光量の取得手段は、前記反射光量として前記原稿からの拡散反射光成分を検出し、
前記反射光量の補正手段は、前記検出方向とは異なる前記原稿の観察方向における表面反射光成分を反映するように、前記反射光量を補正することを特徴とする請求項１に記載の画像読み取り装置。
【請求項３】
前記光沢特性情報は、前記原稿における、前記観察方向への反射光量と、前記検出方向への反射光量と、に基づく情報であることを特徴とする請求項２に記載の画像読み取り装置。
【請求項４】
前記光沢特性情報は、前記原稿のメディア種類に応じて予め設定されていることを特徴とする請求項１乃至３のいずれか１項に記載の画像読み取り装置。
【請求項５】
前記光沢特性情報は、前記原稿の反射ヘイズに応じて予め設定されていることを特徴とする請求項１乃至３のいずれか１項に記載の画像読み取り装置。
【請求項６】
前記光沢特性情報は、前記原稿のメディア種類および該原稿に対する観察角度に応じて予め設定されていることを特徴とする請求項１乃至３のいずれか１項に記載の画像読み取り装置。
【請求項７】
前記光沢特性情報は、前記原稿のメディア種類及び該原稿の画像濃度に応じて予め設定されていることを特徴とする請求項１乃至３のいずれか１項に記載の画像読み取り装置。
【請求項８】
前記光沢特性情報は、前記照明の色に応じて予め設定されており、
前記反射光量の補正手段は、前記反射光量を色成分ごとに補正する
ことを特徴とする請求項１乃至３のいずれか１項に記載の画像読み取り装置。
【請求項９】
前記反射光量の取得手段は、前記反射光量として前記原稿からの拡散反射光成分と表面反射光成分の和を検出し、
前記反射光量の補正手段は、前記表面反射光成分を除去するように前記反射光量を補正することを特徴とする請求項１に記載の画像読み取り装置。
【請求項１０】
原稿を照明した際の反射光量を、予め定められた検出方向において検出する反射光量の取得ステップと、
前記原稿の変角反射光分布に基づく光沢特性情報を取得する光沢特性の取得ステップと、
前記反射光量を前記光沢特性情報に基づいて補正する反射光量の補正ステップと、
を有することを特徴とする画像読み取り方法。
【請求項１１】
コンピュータで実行されることにより、該コンピュータを請求項１乃至９のいずれか１項に記載の画像読み取り装置として機能させることを特徴とするプログラム。
【発明の詳細な説明】
【技術分野】
【０００１】
本発明は、原稿の光沢特性に応じた読み取りを行う画像読み取り装置および画像読み取り方法に関する。
【背景技術】
【０００２】
紙やフィルム等のメディア上に形成された画像情報を、コンピュータ等にデジタル画像情報として読み取るための装置として、フラットベットスキャナ等の画像読み取り装置が利用されている（例えば、特許文献１参照）。図１６に、一般的なフラットベットスキャナの概略構成を示す。同図において、原稿台６１に置かれた原稿は、光源６２によって照明され、原稿からの反射光は、ミラー６３〜６５と結像レンズ６６を介してＣＣＤ等のイメージセンサ６７上に結像される。イメージセンサ６７によって生成された、原稿の色に対応した電気信号は、不図示のＡ／Ｄコンバータによってデジタルデータに変換され、主走査方向に１ライン分の画像情報が読み取られる。また、副走査方向については、上記光源６２、ミラー６３〜６５、結像レンズ６６、イメージセンサ６７からなる光学ユニットが原稿台６１と平行に副走査方向に移動することによって、画像情報が読み取られる。なお光源６２としては、例えば蛍光灯やＬＥＤ等が挙げられる。
【０００３】
一般にフラットベットスキャナでは、上記図１６に示すように、原稿は斜め方向から照明され、正面（受光角０度）に反射する光束がイメージセンサ６７によって検出される。
【先行技術文献】
【特許文献】
【０００４】
【特許文献１】特開平９−６５１４０号公報
【発明の概要】
【発明が解決しようとする課題】
【０００５】
しかしながら、上記従来の画像読み取り装置では、原稿における光沢特性が異なるとその変角反射光分布が異なるため、以下のような問題があった。すなわち、読み取り対象である原稿上のある点において、イメージセンサによる検出方向とユーザによる観察方向とが異なることに起因して、見た目に同じ色であっても読み取り信号が異なってしまうことがある。言い換えれば、同じ読み取り信号が得られたとしても、当該読み取り信号に対応する原稿の色は、異なる色に見えることがある。これにより、例えば、画像読み取り装置で読み取った写真画像をモニタ表示した場合に、原稿となる写真と、モニタ表示された写真の色が異なって見えてしまうといった不具合があった。
【０００６】
本発明は上記問題を鑑みてなされたものであり、原稿の読み取り信号に対して原稿の光沢特性を反映させることによって、原稿の見えに応じた読み取り信号を得る画像読み取り装置および画像読み取り方法を提供することを目的とする。
【課題を解決するための手段】
【０００７】
上記問題を解決するための一手段として、本発明の画像読み取り装置は以下の構成を備える。
【０００８】
すなわち、原稿を照明した際の反射光量を、予め定められた検出方向において検出する反射光量の取得手段と、前記原稿の変角反射光分布に基づく光沢特性情報を取得する光沢特性の取得手段と、前記反射光量を前記光沢特性情報に基づいて補正する反射光量の補正手段と、を有することを特徴とする。
【発明の効果】
【０００９】
上記構成からなる本発明によれば、原稿の読み取り信号に対して原稿の光沢特性を反映させることによって、原稿の見えに応じた読み取り信号を得ることができる。
【図面の簡単な説明】
【００１０】
【図１】原稿における変角反射光分布を模式的に示す図、
【図２】原稿における変角反射光分布のより詳細な模式図を示す図、
【図３】図２に示す表面反射光成分の分布を示す概略図、
【図４】本実施形態において原稿のメディア種類を取得する場合の補正処理を示すフローチャート、
【図５】本実施形態におけるＵＩ例を示す図、
【図６】本実施形態における原稿のメディア種類に応じた補正パラメータ例を示す図、
【図７】本実施形態の画像読み取り装置における信号処理構成を示すブロック図、
【図８】本実施形態の変形例において反射ヘイズを取得する場合の補正処理を示すフローチャート、
【図９】本実施形態の変形例におけるヘイズ値に対応した補正パラメータ例を示す図、
【図１０】本実施形態の変形例において原稿のメディア種類及び観察角度を取得する場合の補正処理を示すフローチャート、
【図１１】本実施形態の変形例における原稿のメディア種類及び観察角度に応じた補正パラメータ例を示す図、
【図１２】第２実施形態において、表面反射光成分の空間的広がりが大きい場合の反射光分布を模式的に示す図、
【図１３】図１２に示す表面反射光成分の分布を示す概略図、
【図１４】第３実施形態における原稿のメディア種類及び濃度に応じた補正パラメータ例を示す図、
【図１５】第４実施形態における照明色に対応したx，yパラメータ例を示す図、
【図１６】一般的なフラットベットスキャナの概略構成を示す図、である。
【発明を実施するための形態】
【００１１】
以下、添付の図面を参照して、本発明をその好適な実施形態に基づいて詳細に説明する。なお、以下の実施形態において示す構成は一例に過ぎず、本発明は図示された構成に限定されるものではない。
【００１２】
＜第１実施形態＞
●読み取り信号が同じでも見えの異なる原因
まず、上記従来例でも示した「読み取り信号が同じであっても見えが異なる」という現象の原因について、説明する。
【００１３】
原稿からの反射光には、二つの成分がある。一つは、照明光が原稿の紙面内に入って紙繊維や色材によって多数回反射や吸収を繰り返した後に原稿表面から出てくる拡散反射光成分である。そしてもう一つは、原稿の光沢特性に依存する原稿表面での反射光成分（以下表面反射光成分と称する）である。
【００１４】
ここで図１に、原稿の光沢特性である変角反射光分布を模式的に示す。図１の（ａ）〜（ｃ）の各図において、２１は照明光源、２２は拡散反射光成分、２３は表面反射光成分（斜線部）、２４〜２６は原稿を示す。図１の（ａ），（ｂ），（ｃ）はそれぞれ、光沢特性の異なる原稿における変角反射光分布を示す。すなわち、（ａ）の原稿２４は、表面反射光成分２３が、正反射方向から外れた方向にも広がって反射するような光沢特性を有する。また、（ｂ）の原稿２５は、表面反射光成分２３の光量が小さい光沢特性を有する。また、（ｃ）の原稿２６は、表面反射光成分２３が正反射方向で急激に変化し、正反射方向の反射光量は大きいが、少しでも正反射方向から外れると反射光量が非常に小さくなる光沢特性を有する。
【００１５】
図１に示すように、拡散反射光成分２２は反射方向によらずほぼ一定であるが、表面反射光成分２３は反射方向によって大きさが異なり、光源の正反射方向で大きい。観察者の目に入射する光は、拡散反射光成分２２と表面反射光成分２３との和であるから、反射方向によって異なる。したがって、上記「読み取り信号が同じでも見えが異なる」という現象は、原稿を見る方向が、画像読み取り装置と原稿観察者とで異なることに起因していることが分かる。
【００１６】
画像読み取り装置における原稿に対する検出方向は、典型的には、原稿の表面反射光成分をほとんど含まない正面方向（図中Ｂで示す方向）であり、図中矢印ＬBの長さに相当する光量が検出される。一方、原稿観察者による原稿の観察方向は、詳細には観察条件によって異なるが、典型的には原稿の正反射方向から所定の角度外れた方向（例えば、図中Ａで示す方向）で代表される。したがって原稿観察者の目には、図中矢印ＬAの長さに相当する光量が入射する。
【００１７】
図１の（ａ）〜（ｃ）はそれぞれ、光沢特性の異なる原稿における変角反射光分布を示してるが、いずれの原稿においても、画像読み取り装置の検出する光量ＬBは等しい。一方、原稿観察者の目に入射する光量ＬAは、（ａ）に示す原稿２４では表面反射光成分２３を含み、（ｂ），（ｃ）に示す原稿２５，２６では表面反射光成分２３を含まない。その結果、画像読み取り装置では、（ａ）〜（ｃ）の各原稿とも同じ読み取り信号が得られるものの、各原稿を観察者が比較すると、これらの見えは同じとはならない。すなわち、（ａ）の変角反射光分布に対応する原稿２４は、（ｂ）および（ｃ）の変角反射光分布に対応する原稿２５，２６よりも明るく見える。これにより、これら各原稿上に同一画像が形成された場合であっても、その色の見えは異なってしまうことが分かる。
【００１８】
●読み取り信号補正方法
本実施形態では、原稿の光沢特性が異なる場合であっても、観察者には同じ色に見える原稿であれば同じ読み取り信号が得られるように、読み取った画像信号に対して補正を施す。以下、本実施形態で読み取った画像信号に対する補正方法について説明する。
【００１９】
図１を用いて説明したように、同じ色に見える原稿は、図中Ａ方向への反射光量が等しい。また、画像読み取り信号はＢ方向への反射光量に対応し、Ａ方向への反射光量とＢ方向への反射光量の差は、原稿の光沢特性に依存する。よって本実施形態では、同じ色に見える原稿の画像読み取り信号を一致させるために、以下の処理を行う。まず、原稿の光沢特性に基づいて、Ａ方向への反射光量とＢ方向への反射光量の差を求める。次に、この反射光量の差に対応する補正信号を求め、原稿の画像読み取り信号に対して該補正信号を反映させる。
【００２０】
Ａ方向への反射光量とＢ方向への反射光量の差については、予め原稿のメディア種類毎に求めて保持しておく。そして、ユーザ指示に基づいて原稿のメディア種類を取得し、該取得した原稿のメディア種類に対応する上記反射光量の差を設定する。
【００２１】
ここで、反射光量の差の求め方について説明する。図１に示す変角反射光分布は、変角測光器によって測定することができる。なお、各図における入射角，Ｂ方向，Ａ方向をそれぞれ、例えば２０度，０度，１９度とする。また、新たな光沢特性を有する原稿に関しては、Ａ方向の反射光量と、Ｂ方向への反射光量を外部から入力する構成としても良い。
【００２２】
さらに、任意の方向Ａに関して、Ａ方向への反射光量とＢ方向への反射光量の差を保持しておき、観察者の見えと対応するようにＡの方向を決定するように構成しても良い。この場合、例えば、光沢特性が異なる２つのチャートの一方に基準の明るさである基準画像を印刷しておき、他方に明るさを離散的に振った複数の画像を印刷しておく。そして原稿観察環境下でユーザに上記２つのチャートを観察させ、離散的な明るさの複数の画像の中から、基準画像に最も近い画像を選択させる。そして、選択された画像と基準画像をスキャンし、上述の手順で読み取り信号の補正を行った際に、両者の補正後の読み取り信号の差が最も小さくなる方向を、該原稿観察環境に対応した観察方向Ａとする。
【００２３】
ここで図２に、図１（ａ）に示す反射光分布を更に詳細に示し、説明する。図２に示すように、原稿２４に対して照明光源２１からの光が入射角θ2で入射すると、表面反射光成分２３は正反射方向であるＣのまわりに広がって反射される。この表面反射光の強度を正反射方向Ｃからの角度に対して示すと、図３の８１に示す特性で分布している。なお、同図において原点Ｏの表面反射強度８２は、正反射方向Ｃにおける反射強度に対応している。この図３に示すような表面反射光の分布形状を保持しておく。
【００２４】
以上のように、Ａ方向への反射光量ＬAとＢ方向への反射光量ＬBの差が求まると、次に、該差に対応する補正信号ΔＨを、次式(1)により算出する。ΔＨはすなわち、原稿の光沢特性を示す値となる。
【００２５】
ΔＨ＝ＬA／ＬB      ・・・(1)
そして、画像読み取り信号Ｒr，Ｇr，Ｂrに対し、上記補正信号ΔＨを次式(2)のように乗算することによって、補正信号Ｒa，Ｇa，Ｂaを取得する。
【００２６】
Ｒa＝Ｒr×ΔＨ
Ｇa＝Ｇr×ΔＨ      ・・・(2)
Ｂa＝Ｂr×ΔＨ
なお、反射光量ＬA，ＬBを測定した原稿における画像読み取り信号の最大値をＲmax，Ｇmax，Ｂmaxとすると、式(2)により算出されたＲa，Ｇa，Ｂaがそれぞれ最大値より大きい場合には、該算出値を最大値で置き換える。すなわち、Ｒa，Ｇa，ＢaをＲmax，Ｇmax，Ｂmaxで置き換える。なお、Ｒmax，Ｇmax，Ｂmaxは、Ｒ，Ｇ，Ｂのバランスが崩れないように丸め調整しても良い。
【００２７】
●補正信号の取得方法の詳細
ここで、補正信号ΔＨの具体的な取得方法について説明する。補正信号は、上述したように、外部から原稿のメディア種類を取得し、該原稿のメディア種類に対応する変角反射光分布からＡ方向とＢ方向での反射光量の差を設定し、該反射光量の差から上記式(1)で設定することができる。より好適には、上記手順によって、予め原稿のメディア種類と補正信号との対応関係を求めて保持しておき、画像読み取り時にこれを利用する。
【００２８】
以下、このように予め原稿のメディア種類と補正信号との対応関係を保持した上での補正処理について、図４のフローチャートを用いて詳細に説明する。まずステップＳ１３１において、ユーザ指示に基づいて原稿のメディア種類を取得する。ここで図５（ａ）に、原稿の情報を取得するためのユーザーインターフェース（ＵＩ）の一例を示す。図５に示すＵＩでは、原稿のメディア種類を選択するリストボックス１１と、ＯＫボタン１２およびキャンセルボタン１３によって、原稿の情報を取得する。リストボックス１１には、例えば、写真（光沢）、写真（絹目）、印刷（光沢紙）、カラーコピー（普通紙）、顔料インクジェット（光沢紙）、染料インクジェット（光沢紙）などの代表的な原稿のメディア種類がリストとして登録されている。ユーザはこのリストの中から、読み取り原稿に対応した原稿のメディア種類を選択する。そしてＯＫボタン１２が押下されると、リストボックス１１で選択された原稿のメディア種類が確定されるが、キャンセルボタン１３が押下されるとリストボックス１１の選択は無視され、補正は行われない。
【００２９】
ＯＫボタン１２によって原稿のメディア種類が確定すると、次にステップＳ１３２において当該原稿のメディア種類に対応した補正パラメータが設定される。ここで補正パラメータとは、上述したΔＨの値を示す。ここで図６に、原稿のメディア種類に対応した補正パラメータの一例を示す。図６から分かるように、補正パラメータは、原稿の反射光分布が図１（ｂ）や（ｃ）に示す特性を有する場合には小さく、図１（ａ）に示す特性を有する場合には大きい。なお、これらの補正パラメータは予め、各種光沢特性の原稿に対して保持されている。
【００３０】
次にステップＳ１３３において、原稿画像の読み取り値に対し、ステップＳ１３２で取得した補正パラメータΔＨを用いて、式(2)のように補正を施す。
【００３１】
●画像読み取り装置における信号処理
以下、本実施形態の画像読み取り装置における信号処理について説明する。本実施形態の画像読み取り装置は、原稿からの反射光量に応じた読み取り信号を出力する。ここで図７に、本実施形態の画像読み取り装置（イメージセンサ）において読み取り信号処理を行う構成を示す。同図に示すように本実施形態の画像処理装置においては、白色補正部４１と光沢補正部５０、色変換部４２およびガンマ補正部４３によって、原稿からの反射光量に対応したセンサ出力信号ＲrＧrＢrを読み取って、信号ＲＧＢに変換して出力する。なお図７に示す構成のうち、白色補正部４１，色変換部４２およびガンマ補正部４３は一般的なカラースキャナに備えられる構成である。すなわち本実施形態では、光沢補正部５０を備えることによって、見えを考慮した補正を行うことを特徴とする。
【００３２】
図７において、白色補正部４１は、光源強度やセンサ感度のばらつきを補正し、センサ出力信号ＲrＧrＢrを白色補正信号ＲwＧwＢwに変換する。一般に白色補正部４１は、基準白色面の白色補正信号が所定の値になるように、各チャンネルのゲインを調整する。すなわち、基準白色面の白色補正信号がＲw0Ｇw0Ｂw0であり、基準白色面を読み取ったときのセンサ出力信号がＲrwＧrwＢrwである場合、ＲＧＢ各チャンネルのゲインＲg，Ｇg，Ｂgは次式で与えられる。
【００３３】
Ｒg＝Ｒw0／Ｒrw
Ｇg＝Ｇw0／Ｇrw      ・・・(3)
Ｂg＝Ｂw0／Ｂrw
また、白色補正部４１におけるの変換は、上記ＲgＧgＢgを用いて次式で与えられる。
【００３４】
Ｒw＝Ｒg×Ｒr
Ｇw＝Ｇg×Ｇr      ・・・(4)
Ｂw＝Ｂg×Ｂr
次に光沢補正部５０では、白色補正部４１の出力信号ＲwＧwＢwに対して、上記ＵＩによって取得した補正パラメータを用いた補正、すなわち上記式(2)に応じた補正を行う。
これにより、白色補正後の信号Ｒw，Ｇw，Ｂwが、画像観察者が平均的に見ている方向への反射光量に対応した信号ＲaＧaＢaに変換される。
【００３５】
次に色変換部４２では、フィルタの特性を補正することによって、光沢補正後の信号ＲaＧaＢaを、色補正信号ＲcＧcＢcへ変換する。一般に色変換部４２では、読み取り信号ＲＧＢがIEC61966で規定されるｓＲＧＢに合致するように、３×３のマトリクスを用いて変換する。
【００３６】
そしてガンマ補正部４３では、各チャンネルの階調特性を補正することによって、色変換信号ＲcＧcＢcを、最終的な読み取り信号ＲＧＢへ変換する。一般にガンマ補正部４３では、１次元のルックアップテーブルを用いて、色補正信号のＲcを読み取り信号のＲへ変換し、同様に色補正信号のＧc，Ｂcをそれぞれ読み取り信号のＧ，Ｂへ変換する。
【００３７】
以上説明した様に本実施形態によれば、原稿の光沢特性を取得し、当該光沢特性に基づいて、原稿画像の読み取り信号を観察方向での見た目を反映するように補正することで、原稿の見た目に一致する読み取り信号を得ることができる。したがって、原稿の光沢特性が異なっても、同じ色に見える原稿を読み取ったときに同じ読み取り信号を得ることができる。これにより、例えば、画像読み取り装置で読み取った写真画像をモニタ表示した場合等において、原稿となる写真と、モニタ表示された写真の色が異なってしまうことなく、同じ色として観察される。
【００３８】
＜変形例１＞
以下、上述した第１実施形態における補正信号の取得方法について、その変形例を示す。上記図４のフローチャートに示した処理では、ユーザによって指定された原稿のメディア種類に応じた補正パラメータを設定する例を示したが、原稿の光沢特性情報を入力することによって補正パラメータを設定するようにしても良い。上記光沢特性情報として、例えば、ＡＳＴＭ  Ｅ４３０で規定される、反射光の拡散率を示す反射ヘイズを用いることができる。反射ヘイズはすなわち、上述したＡ方向への反射光量に対応する。
【００３９】
一般にＢ方向の反射光量は、原稿のメディア種類によらずほぼ一定の値となるため、上述したＡ方向への反射光量とＢ方向への反射光量との差に代えて、Ａ方向への反射光量そのものを利用することが可能である。すなわち、Ａ方向への反射光量に対応する反射ヘイズの値を、上記反射光量の差に代用することができる。以下、原稿の反射ヘイズを入力することによって、補正信号ΔＨを取得する処理を図８のフローチャートを用いて説明する。
【００４０】
まずステップＳ１４１において、ユーザ指示に基づいて、光沢特性としての反射へイズを取得する。ここで図５（ｂ）に、反射へイズを取得するためのユーザーインターフェース（ＵＩ）の一例を示す。このＵＩでは、テキストボックス３１と、ＯＫボタン３２およびキャンセルボタン３３によって、原稿の光沢特性情報としての反射へイズを取得する。テキストボックス３１には、ユーザが原稿の反射ヘイズの値を入力する。そしてＯＫボタン３２が押下されると、テキストボックス３１に入力された反射ヘイズの値が確定されるが、キャンセルボタン３３が押下されるとテキストボックス３１への入力は無視され、補正は行われない。
【００４１】
ＯＫボタン３２によって原稿の反射ヘイズが確定すると、次にステップＳ１４２において当該反射へイズに対応した補正パラメータΔＨが設定さる。ここで図９に、反射へイズに対応した補正パラメータの一例を示す。なお、これらの補正パラメータは予め保持されており、ステップＳ１４２ではこのデータから補正パラメータを取得する。
【００４２】
次にステップＳ１４３において、原稿画像の読み取り値に対し、ステップＳ１４２で取得した補正パラメータΔＨを用いて、上記式(2)に基づく補正を施す。
【００４３】
＜変形例２＞
上記図４のフローチャートに示した処理では、ユーザによって指定された原稿のメディア種類に応じた補正パラメータを設定する例を示したが、さらに観察方向に対応する角度（観察角度）を入力することによって補正パラメータを設定するようにしても良い。
【００４４】
以下、観察方向の角度を入力することによって補正信号ΔＨを取得する処理について、図１０のフローチャートを用いて説明する。まずステップＳ１５１において、ユーザ指示に基づいて、原稿のメディア種類及び観察方向に対応する観察角度を取得する。ここで図５（ｃ）に、原稿のメディア種類及び観察角度を取得するためのＵＩ例を示す。このＵＩでは、リストボックス１９１とテキストボックス１９２、ＯＫボタン１９３と、キャンセルボタン１９４によって、原稿のメディア種類及び観察角度を取得する。リストボックス１９１には原稿のメディア種類が予め登録されており、テキストボックス１９２には観察方向に対応する観察角度を入力する。ここで入力する観察角度としては、例えば０度〜１８０度の範囲の値とする。そしてＯＫボタン１９３が押下されると、リストボックス１９１およびテキストボックス１９２に入力された原稿のメディア種類および観察角度が確定されるが、キャンセルボタン１９４が押下されるとこれらの設定は無視され、補正は行われない。
【００４５】
ＯＫボタン１９３によって原稿のメディア種類および観察角度が確定すると、次にステップＳ１５２において当該原稿のメディア種類および観察角度に対応した補正パラメータΔＨが設定される。ここで図１１に、原稿のメディア種類および観察角度に対応した補正パラメータの一例を示す。なお、これらの補正パラメータは予め、各種の原稿に対して保持されており、ステップＳ１５２ではこのデータから補正パラメータを取得する。
【００４６】
次にステップＳ１５３において、原稿画像の読み取り値に対し、ステップＳ１５２で取得した補正パラメータΔＨを用いて、式(2)のように補正を施す。
【００４７】
＜第２実施形態＞
以下、本発明に係る第２実施形態について説明する。上述した第１実施形態では、図１（ａ）に示すような光沢特性の原稿における、観察者の見えとイメージセンサが検出する信号との違いを考慮し、観察者の見えと一致するように画像読み取り信号を補正する方法を説明した。第２実施形態では、画像読み取り装置が表面反射光成分を含む光を検出する際に、この表面反射光成分を除去する手法を示す。
【００４８】
ここで図１２の（ａ）および（ｂ）に、表面反射光成分の空間的広がりが大きい場合の反射光分布を示す。図１２の例では、表面反射光成分２３が、画像読み取り装置における検出方向Ｂにまで達している。反射光分布が図１（ａ）のように比較的狭い範囲にある場合、画像読み取り装置で検出されるのはＢ方向の拡散反射光成分２２である。一方、図１２（ａ）の場合では、Ｂ方向の拡散反射光成分２２に対し、更にＢ方向の表面反射光成分９１が加わった光が検出されることになる。
【００４９】
最終的に読み取る画像信号に表面反射光成分９１の影響を与えたくない場合には、補正パラメータとして表面反射光成分９１に対応する画像信号を算出し、画像読み取り装置で読み取った信号から補正パラメータを差し引く処理を行えば良い。この場合も上述した第１実施形態と同様に、原稿に応じた反射特性を予め変角光度測定装置等により測定しておく必要がある。
【００５０】
補正方法としては、例えば図１３に示すような表面反射光分布を求め、表面反射光成分がなくなる角度θ0を求めておく。そして図１２（ｂ）に示すように、正反射方向Ｃから角度θ3（θ0＜θ3）の方向Ｄにおける反射光量をＬD、画像読み取り装置が検出するＢ方向における反射光量をＬBとすると、補正信号ΔＨは次式で算出される。なお、上述した第１実施形態と同様に、全てのメディア種類に対する補正信号ΔＨを予め保持しておく。
【００５１】
ΔＨ＝ＬD／ＬB      ・・・(5)
そして第１実施形態と同様に、白色補正後の画像読み取り信号Ｒw，Ｇw，Ｂwに対し、上記補正信号であるΔＨを次式(6)のように乗算することによって、補正信号を取得する。
【００５２】
Ｒa＝Ｒw×ΔＨ
Ｇa＝Ｇw×ΔＨ      ・・・(6)
Ｂa＝Ｂw×ΔＨ
なお、反射光量ＬD，ＬBを測定した原稿における画像読み取り信号の最小値をＲmin，Ｇmin，Ｂminとすると、式(6)により算出されたＲa，Ｇa，Ｂaが、それぞれ最小値より小さい場合には、該算出値を最小値で置き換える。すなわち、Ｒa，Ｇa，ＢaをＲmin，Ｇmin，Ｂminで置き換える。なお、Ｒmin，Ｇmin，Ｂminとしては、例えばインク打ち込み量最大のときの原稿を読み取った値とすれば良い。
【００５３】
以上説明した様に第２実施形態によれば、画像読み取り装置において、読み取り時に表面反射光成分の影響を除去した読み取りを行うことができる。すなわち、原稿の光沢特性に依存することなく、原稿画像の読み取り信号を得ることができる。
【００５４】
＜第３実施形態＞
以下、本発明に係る第３実施形態について説明する。上述した第１実施形態では、図２において、観察者が見ているＡ方向への反射光量ＬAと画像読み取り装置の検出方向Ｂへの反射光量ＬBとの関係が、原稿の光沢特性によって一意に定まるものと仮定した。しかしながら、原稿の光沢特性以外の要因が、反射光量ＬAとＬBの関係に影響を及ぼす場合がある。第３実施形態では、Ｂ方向への反射光量ＬBに応じて、Ａ方向への反射光量ＬAとＬBの関係が変化する場合における補正方法を説明する。
【００５５】
例えば、測定する画像の濃度に応じて反射光分布の形状が変化する場合には、Ｂ方向への反射光量ＬBとＡ方向への反射光量ＬAの比が画像濃度に応じて変化する。この場合には、原稿のメディアに対して画像濃度を複数変化させたチャートを印刷し、上述した第１実施形態と同様に変角測定器を用いて変角反射光分布を測定して、Ａ方向とＢ方向への反射光量の差を予め保持しておく。
【００５６】
そして次に、Ａ方向への反射光量ＬAとＢ方向への反射光量ＬBの差に対応する補正パラメータΔＨを求める。補正パラメータΔＨは、上述した第１実施形態と同様に式(1)により算出する。ただし、補正パラメータΔＨは測定する画像濃度ｎに応じて変化するため、ここでは画像濃度ｎを０〜２５５の値に正規化する。これにより、濃度が低い時にはメディアの光沢特性に対応した補正値となり、高濃度領域では表面反射光成分の広がりが大きくなるために補正値が大きくなる。
【００５７】
そして、画像読み取り信号Ｒr，Ｇr，Ｂrに対し、上記補正信号であるΔＨを式(2)のように乗算することによって、補正信号を取得する。
【００５８】
なお、補正信号の取得方法としては、上述した第１実施形態と同様の方法を適用することができるが、第３実施形態では原稿のメディア種類及び画像濃度に応じた補正パラメータを取得するようにする。ここで図１４に、原稿のメディア種類及び濃度に応じた補正パラメータの一例を示す。上述した第１実施形態と同様に、ユーザによって入力された原稿のメディア種類及び画像読取り信号に対応する濃度に応じた補正パラメータが、図１４に示すテーブルから取得され、補正パラメータΔＨに設定される。このように設定された補正パラメータΔＨを用いて、式(2)により画像読み取り値を補正する。
【００５９】
以上説明したように第３実施形態によれば、形成された画像濃度に応じて反射光量ＬAとＬBの関係が変化する場合にも、原稿の読み取り信号に対して適切な補正を施し、原稿の見た目に一致する読み取り信号を得ることができる。
【００６０】
＜第４実施形態＞
以下、本発明に係る第４実施形態について説明する。上述した第１実施形態では、見えと画像読み取り装置の読み取り信号の違いを、反射光量（図２におけるＬA，ＬB）を用いて、式(2)によりＲ，Ｇ，Ｂ共に同じ係数ΔＨで補正する例を示した。しかしながら、表面反射光は照明光源の色に依存した光であるため、反射光量を用いてＲ，Ｇ，Ｂそれぞれを同じ係数で補正しても、正確には見えと一致しない。そこで第４実施形態では、照明光の色を考慮したより正確な補正方法を示す。
【００６１】
まず、画像読み取り装置が読み取った画像信号ＲrＧrＢrを、以下の(7)式を用いてＸBＹBＺBに変換する。なお(7)式において、ＭはＲＧＢからＸＹＺへの変換用の３×３マトリクスである。
【００６２】
【数１】
2011030025.tif 000003
【００６３】
次に、見えと画像読み取り値の輝度の違いであるΔＹを算出する。観察者が見ている反射光の輝度をＹAとすると、上記式(7)と同様に、ΔＹは以下の(8)式で表される。
【００６４】
ΔＹ＝Ｙw((ＹA／ＹB)−１)      ・・・(8)
なお(8)式において、Ｙwは、当該原稿のメディア紙白における画像読み取り信号の値である。またＹA，ＹBについては第１実施形態と同様に、変角測光器等を用いて全てのメディア種類に対して予め測定しておく。
【００６５】
また、Ｘ，Ｚ成分における見えと画像読み取り値の違いΔＸ，ΔＺについては、以下の(9)式を用いて算出する。
【００６６】
ΔＸ＝ΔＹ(ｘ／ｙ)      ・・・(9)
ΔＺ＝ΔＹ(ｚ／ｙ)
ただし、ｚ＝１−ｘ−ｙである。ここでｘ，ｙは、観察時の照明光源の色を表すパラメータである。このパラメータｘ，ｙとしては例えば、図１５に示すように複数の照明光に対する値を予めデータとして測定しておき、ユーザの指示等によって取得した照明条件（照明色温度）に応じて、パラメータｘ，ｙを決定する。
【００６７】
以上のように得られたΔＸ，ΔＹ，ΔＺを、上記式(7)におけるマトリクスＭの逆行列Ｍ-1を用いてΔＲ，ΔＧ，ΔＢに変換する。この変換式を以下の式(10)に示す。
【００６８】
【数２】
2011030025.tif 000004
【００６９】
そして最後に、式(10)により得られたΔＲ，ΔＧ，ΔＢを補正パラメータとして、次式(11)により画像読み取り装置による読み取り信号を補正する。
【００７０】
Ｒa＝Ｒw＋ΔＲ
Ｇa＝Ｇw＋ΔＧ      ・・・(11)
Ｂa＝Ｂw＋ΔＢ
以上説明した様に第４実施形態によれば、原稿の読み取り信号に対して、照明光を考慮した色成分ごとの補正を施すことによって、原稿の見た目に一致する読み取り信号を得ることができる。
【００７１】
なお、上述した第１〜第４実施形態では、ユーザによって入力された原稿のメディア種類や光沢特性情報に基づき、予め保持していた補正パラメータデータを参照することによって、補正信号を取得する例を示した。しかし、画像読取り装置内に変角測定器やヘイズ計等が組み込まれている場合には、実際の測定値に基づいて補正を行うことも可能である。
【００７２】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2011030025.tif 000005
【図２】
2011030025.tif 000006
【図３】
2011030025.tif 000007
【図４】
2011030025.tif 000008
【図５】
2011030025.tif 000009
【図６】
2011030025.tif 000010
【図７】
2011030025.tif 000011
【図８】
2011030025.tif 000012
【図９】
2011030025.tif 000013
【図１０】
2011030025.tif 000014
【図１１】
2011030025.tif 000015
【図１２】
2011030025.tif 000016
【図１３】
2011030025.tif 000017
【図１４】
2011030025.tif 000018
【図１５】
2011030025.tif 000019
【図１６】
2011030025.tif 000020